(57)【特許請求の範囲】
【請求項１】
複数の発熱部を具備し、切替スイッチ（２）  によって前記各発熱部を個別に導通状態とする電気調理器において、
前記発熱部の一方が導通状態にあるときに前記切替スイッチ（２）  が他方の発熱部を導通させる状態に切替られた場合に当該他方の発熱部を非導通状態とし、前記切替後所定時間経過するまでに前記切替スイッチ（２）  を元の状態に復帰させた場合には、前記一方の発熱部を導通状態に復帰する導通状態制御手段と、
前記切替後、当該切替状態が所定時間継続したことの信号に応答して前記一方と他方の両方の発熱部を非導通に維持する遮断手段（Ｃ）  とを具備する、
電気調理器。
【請求項２】
前記導通状態制御手段を、
前記発熱部の一方が導通状態にあるときに前記切替スイッチ（２）  が他方の発熱部を導通させる状態に切替られた場合に当該他方の発熱部を非導通状態とする非導通手段（Ａ）  と、
前記切替後所定時間経過するまでに前記切替スイッチ（２）  を元の状態に復帰させた場合には前記一方の発熱部を導通状態に復帰する復帰導通手段（Ｂ）  と、
から構成した請求項１に記載の電気調理器。
【請求項３】
前記遮断手段（Ｃ）  は、その作動時に同時に報知手段を作動させる手段である請求項１又２に記載の電気調理器。
【請求項４】
複数の発熱部を具備し、切替スイッチ（２）  によって前記各発熱部を個別に導通状態とする電気調理器において、前記切替スイッチ（２）  の切替によって始動すると共に復帰によってリセットされ前記始動後設定時間だけは出力スイッチを開成するタイマーであって、前記リセットによって前記出力スイッチを閉成させるタイマーを設け、
前記切替スイッチ（２）  から各発熱部への回路には前記タイマーの出力スイッチを挿入し、前記タイマーのタイムアップ時に電源回路を遮断する手段を設けた電気調理器。
【発明の詳細な説明】
【０００１】
【発明の属する技術分野】
この発明は電気調理器、特に、複数の発熱部、例えば、電気コンロと電気グリルを１つの本体部に内蔵した所謂テーブル調理器等に於ける熱量制御装置に関するものである。
【０００２】
【従来の技術】
上記した所謂テーブル調理器として、図１に示すような電気調理器が普及している。このものは、ワークトップ（Ｗ）  の上面にヒータユニット（Ｈ）（Ｈ）が配設されるトップユニットと、前記ワークトップ（Ｗ）  の下方に前面露出状態の本体部とからなり、前記本体部とトップユニットとはコネクター（  図示せず）によって電気接続され、前記本体部にはグリル（Ｇ）  が内蔵され本体部前面に操作つまみ部が配置される。そして、この形式の器具は、所謂ドロップイン調理器タイプとして製作されている。このものでは、前記ヒータユニット（Ｈ）（Ｈ）及びグリル（Ｇ）  が共に電熱装置であることから全体の電気容量が大きく、前記ヒータユニット（Ｈ）  とグリル（Ｇ）  とが同時に使用されることが少ない事から、器具の過熱防止及び安全性を優先する意図で、一方の発熱部であるヒータユニット（Ｈ）（Ｈ）の使用時には他方の発熱部であるグリル（Ｇ）  を使用できない構成に設計されているものがある。
【０００３】
この為、同図の示すように、操作部には各ヒータユニット（Ｈ）  ，グリル（Ｇ）  に対応させた熱量調節器（３０）とは別に切替スイッチ（２）  が設けられている。なお、電源投入のために電源スイッチ（１）  が更に配置されている。
このものでは、電源スイッチ（１）  を投入すると、電子ユニットがスタンバイ状態になり、熱量調節器（３０）を制御することによりヒータユニット（Ｈ）  又はグリル（Ｇ）  の何れかへの回路が導通する状態になり、発熱部の「オン−オフ」制御を含めて発熱量の制御ができる。
【０００４】
ところが、この従来のものでは、切替スイッチ（２）  が一方の発熱部であるヒータユニット（Ｈ）  にセットされていた状態から他方の発熱部であるグリル（Ｇ）  が導通する状態に不用意に切り替えられた場合には、予期しない方の発熱部が発熱することとなる。
【０００５】
【発明が解決しようとする課題】
本発明はかかる点に鑑みてなされたものであり『複数の発熱部を具備し、切替スイッチ（２）  によって前記各発熱部を個別に導通状態とする電気調理器』において、前記切替スイッチ（２）  が不用意に切り替えられた場合の不具合を無くした上でしかも使い勝手を良くすることをその課題とする。
＊１項
【０００６】
【課題を解決するための手段】
前述した課題を解決するために講じた本発明の解決手段は『前記発熱部の一方が導通状態にあるときに前記切替スイッチ（２）  が他方の発熱部を導通させる状態に切替られた場合に当該他方の発熱部を非導通状態とし、前記切替後所定時間経過するまでに前記切替スイッチ（２）  を元の状態に復帰させた場合には、前記一方の発熱部を導通状態に復帰する導通状態制御手段と、
前記切替後、当該切替状態が所定時間継続したことの信号に応答して前記一方と他方の両方の発熱部を非導通に維持する遮断手段（Ｃ）  とを具備させた』ことである。
【０００７】
上記解決手段はつぎのように作用する。
切替スイッチ（２）  が一方の発熱部側にセットされた状態で使用されているときに、不用意に切替スイッチ（２）  が切り替えられると、前記一方の発熱部は非導通状態になり、且、他方の発熱部が導通する状態に切替えられたこととなるが、このときには導通状態制御手段の動作によって前記他方の発熱部は非導通状態になる。従ってこの他方の発熱部が発熱することはない。
【０００８】
この状態において、所定時間内に前記切替スイッチ（２）  が前記一方の発熱部を導通させる状態に復帰されると、前記導通状態制御手段により一方の発熱部が発熱状態に復帰する。
前記切替スイッチ（２）  が前記切替状態にセットされたままに放置されて前記所定時間が経過すると、前記遮断手段（Ｃ）  により、他方の発熱部が非導通状態に維持されることとなる。一方の発熱部は非導通状態にあるから、この場合には、何れの発熱部も非導通状態、つまり、非発熱状態に保たれるから、不用意に切替スイッチ（２）  が切り替えられた場合に切り替えられた側の発熱部が発熱状態に維持される不都合が生じない。
【０００９】
なお、前記遮断手段（Ｃ）  としては、各発熱部への回路を個別に遮断する手段、又は、電源投入回路を強制的に遮断する手段であってもよい。
【００１０】
【発明の効果】
本発明は、上記構成であるから次の特有の効果を有する。
切替スイッチ（２）  が不用意に切り替えられた場合には、切替後所定時間内に元の状態に切替スイッチ（２）  が復元されると、元の使用状態（発熱状態）に復元され、前記切替の後その状態が一定時間継続すると何れの発熱部も非導通状態（発熱停止状態）になる。従って、切替スイッチ（２）  を切り替えて各発熱部を選択的に使用する電気調理器の使い勝手が良い。加えて、予期しない側の発熱部が発熱状態に維持される不都合が防止できるからである。
【００１１】
［その他］
＊２項
１項において、前記導通状態制御手段を、
『前記発熱部の一方が導通状態にあるときに前記切替スイッチ（２）  が他方の発熱部を導通させる状態に切替られた場合に当該他方の発熱部を非導通状態とする非導通手段（Ａ）  と、
前記切替後所定時間経過するまでに前記切替スイッチ（２）  を元の状態に復帰させた場合には前記一方の発熱部を導通状態に復帰する復帰導通手段（Ｂ）  と、』からなる構成としてもよい。
【００１２】
この場合前記非導通手段（Ａ）  、復帰導通手段（Ｂ）  の共動によって上記した一連の作用を発揮するものとなる。
＊３項
１項又は２項において、『前記遮断手段（Ｃ）  は、その作動時に同時に報知手段を作動させる手段である』ものでは、何れの発熱部も非導通になると報知手段が作動するから、電源投入を断つ操作を促すこととなって一層安全性が向上する。
※４項
又、前記１項に代えて『前記切替スイッチ（２）  の切替によって始動すると共に復帰によってリセットされ前記始動後設定時間だけは出力スイッチを開成するタイマーであって、前記リセットによって前記出力スイッチを閉成させるタイマーを設け、
前記切替スイッチ（２）  から各発熱部への回路には前記タイマーの出力スイッチを挿入し、前記タイマーのタイムアップ時に電源回路を遮断する手段を設けた』ものでは、前記タイマーの設定時間が経過するまでに切替スイッチ（２）  を元の状態に復帰した場合には、そのまま一方の発熱部を発熱状態に復帰させ、設定時間が経過すると前記タイマーの出力信号に応答して電源回路が遮断されるから、安全である。この場合も、１項の場合と同様に機能する。
【００１３】
【発明の実施の形態】
以下、本願発明の実施例の形態を、図示例と共に説明する。
この例の電気調理器は、図１に図示したものと同様の外観で、図２に示すように、ワークトップ（Ｗ）  の上面に露出するトップユニットの表面にヒータユニットからなる第１ヒータ（３ａ）（３ａ）を配置し、前記本体部にはグリル（Ｇ）  の発熱部となる第２ヒータ（３ｂ）が内蔵され本体部前面に操作つまみ部が配置される。
【００１４】
この操作部には電源スイッチ（１）  と前記第１ヒータ（３ａ）用の熱量調節器（３１）（３１）と、前記第２ヒータ（３ｂ）用の熱量調節器（３２）とを設けている。
また、この本体部には、制御装置制御回路（ＣＰ）が内蔵され、電源スイッチ（１）  及び切替スイッチ（２）  とを接続した電気回路は図３のように構成されている。
電源スイッチ（１）  と切替スイッチ（２）  とは共に接点切替式のシーソースイッチで相互に直列に接続され、この切替スイッチ（２）  によって前記第１ヒータ（３ａ）第１ヒータ（３ａ）の並列回路と、第２ヒータ（３ｂ）の回路とが機械的に切替接続される構成である。
【００１５】
切替スイッチ（２）  の固定接点（２ａ）と第１ヒータ（３ａ）（３ａ）との間には熱量調節器（３１）が個別に挿入されると共にこの熱量調節器（３１）と前記固定接点（２ａ）との間には制御スイッチ（３３）が挿入されている。また、固定接点（２ｂ）と第２ヒータ（３ｂ）との間には、熱量調節器（３２）と制御スイッチ（３４）とが直列に挿入されている。
同様に、制御スイッチ（３３）（３４）が「オフ」となったかどうかを検知するために固定接点（２ａ）（２ｂ）側の電圧変化を制御回路（ＣＰ）に入力させている。制御スイッチ（３３）が「オフ」となると固定接点（２ａ）の部分の電圧がゼロになるからこれにより前記「オフ」が判定できる。逆に所定の低電圧になると「オン」であることが判定できる。制御スイッチ（３４）についても同様にして、「オン−オフ」が判定できる。
【００１６】
さらに、ブザー（４）  の回路が挿入され、制御回路（ＣＰ）の出力により、このブザー（４）  が「オン−オフ」される。制御スイッチ（３３）、制御スイッチ（３４）についても制御回路（ＣＰ）の出力により「オン−オフ」制御されるものとなる。
［制御回路（ＣＰ）について］
前記制御回路（ＣＰ）は、マイクロコンピュータとしてあり、この例では、図４、５のフローチャートに示す制御を実行する構成である。
【００１７】
このフローチャートは、電源投入された後、切替スイッチ（２）  が第１ヒータ（３ａ）側に初期的にセットされた状態で使用される場合の制御である。
電源スイッチ（１）  が投入されると、初期チェック工程に入り異状の有無が判断される（ＳＴ０２）。
熱量調節器（３１）（３２）がオフになっていない場合にはブザー（４）  がオンとなって（ＳＴ０９）「ピー」「ピー」を５回くり返す。そして、熱量調節器（３１）（３２）がオフにセットされることを待ち（ＳＴ１０）、この操作が行われるとブザー（４）  がオンとなって「ピッ」と報知する（ＳＴ１１）。
【００１８】
このあと、切替スイッチ（２）  が第１ヒータ（３ａ）側にセットされているかどうかを判断する（ＳＴ０３）。
切替スイッチ（２）  が第１ヒータ（３ａ）側にセットされ、次のステップ３１で切替スイッチ（２）  が第２ヒータ  （３ｂ）  側にセットされない場合には、熱量調節器（３１）がオンにされると（ＳＴ０４）、その後、ステップ５が実行されて、ブザー（４）  が作動し制御スイッチ（３３）がオンとなって第１ヒータ（３ａ）が発熱状態となる。この状態で切替スイッチ（２）  が第２ヒータ（３ｂ）側に切替えられかどうかが判断され（ＳＴ０６）、切替えられた場合には、ブザー（４）  及びタイマーがオンとなって制御スイッチ（３３）をオフとする。従って、切替えられた側の第２ヒータ（３ｂ）が非導通となる（ＳＴ１２）。そして、この状態が５秒間継続するかどうかが検知される（ＳＴ１３）。この５秒の間に切替スイッチ（２）  が第１ヒータ（３ａ）側に戻されたと判断されると（ＳＴ１４）、制御スイッチ（３３）がオンとなって第１ヒータ（３ａ）が導通する（ＳＴ１５）。
【００１９】
この状態になると、または、ステップ６にて切替スイッチ（２）  が第１ヒータ（３ａ）側にセットされたままの場合には、通常運転と見なされる。
この後切り忘れ防止タイマーがＯＮになり、このことが判定されると（ＳＴ０７），制御スイッチ（３３）又は（３４）がＯＦＦになるかどうかと（ＳＴ２０）、前記切り忘れ防止タイマーがタイムアップしたかどうか（ＳＴ２１）とを同時に監視する。
【００２０】
切り忘れ防止タイマーは、連続運転が所定時間（第１ヒータ（３ａ）の場合は１時間、第２ヒータ（３ｂ）の場合は３０分）になるとその出力接点が電源回路を強制的に遮断するものである。
この切り忘れ防止タイマーがタイムアップするとステップ２２により制御スイッチ（３３）（３４）がオフとなり第１ヒータ（３ａ）が非導通状態となる。次いで、ステップ２３によりブザー（４）  が作動して５回「ピー」と鳴る。
【００２１】
この後、熱量調節器（３１）をオフにする動作が促され、熱量調節器（３１）がオフになると（ＳＴ２４）、ブザー（４）  が作動して「ピッ」と鳴る（ＳＴ２５）。
また、前記切り忘れ防止タイマーのタイムアップまでに制御スイッチ（３３）又は（３４）がＯＦＦになると、ステップ２３以下の制御が実行される。
以上において、ステップ６とステップ１２からなる構成が既述の非導通手段（Ａ）  に相当し、ステップ１２〜ステップ１５までの構成が既述の復帰導通手段（Ｂ）  に相当する。そして、ステップ２１〜ステップ２４までの構成が遮断手段（Ｃ）  に相当する。
【００２２】
なお、上記フローチャートは、第１ヒータ（３ａ）側に切替スイッチ（２）  がセットされている場合についてのフローチャートとしたが、第２ヒータ（３ｂ）側にセットされている場合には、これがステップ３１で判定され、ステップ４から後の制御フローが第２ヒータ（３ｂ）に対応したのものに変更される。例えば、ステップ３は「切替スイッチ（２）  が第２ヒーター（３ｂ）側にセットされているかどうかを判断するステップ」に変更され、制御スイッチ（３３）のみを「オン」又は「オフ」にするためのステップ１５は制御スイッチ（３４）のみを「オン」又は「オフ」にする為のステップに変更される。このように対応する各部を所定に変更すると、第２ヒータ（３ｂ）側にセットされている場合のフローチャートとなる。
【００２３】
［実施の形態２］
上記実施の形態では、マイクロコンピュータによって、各部を制御する構成としたが、図６に示すように、タイマー（Ｔ）  を用いて、第１ヒータ（３ａ）、第２ヒータ（３ｂ）を制御するようにしてもよい。このものでは、切替スイッチ（２）  が切替えられたことを検知する微分回路等からなる検知回路（２０）からの出力によって前記タイマー（Ｔ）  が制御されるようになっている。つまり、第１ヒータ（３ａ）にセットされていた前記切替スイッチ（２）  が第２ヒータ（３ｂ）側に切替えられると前記検知回路（２０）の出力によりタイマー（Ｔ）  が始動してその出力接点（Ｔ１）（Ｔ１）が常閉状態から設定時間だけ開成し、設定時間経過時（タイムアップ時）には前記出力接点（Ｔ１）（Ｔ１）が閉成状態に復帰する構成である。
【００２４】
また、タイマー（Ｔ）  がタイムアップしたことを検知する検知手段（２１）が別個に設けられており、これの出力接点（２１１）  の閉成により「オン」となるリレー（Ｒ）  が前記タイマー（Ｔ）  と並列接続されて、その常閉の出力接点（Ｒ１）が電源スイッチ（１）  と切替スイッチ（２）  との間に挿入されている。従って、前記タイマー（Ｔ）  がタイムアップすると、前記検知手段（２１）、リレー（Ｒ）  の出力により電源回路が遮断されることとなる。その後、電源スイッチ（１）  がオフにされると各部が停止する。
【００２５】
このものでも、前記タイマー（Ｔ）  の設定時間内に切替スイッチ（２）  が元の状態に復帰すると検知回路（２０）からの信号入力により前記タイマー（Ｔ）  がリセットされるから、出力接点（Ｔ１）（Ｔ１）が共に開成状態に戻ることとなり、上記実施の形態１と同様に機能する。
又、切替スイッチ（２）  による切替対象の発熱部を、上記実施の形態に代えて、複数の第１ヒータ（３ａ），第２ヒータ（３ｂ）のうちの特定の１つの第１ヒータ（３ａ）とグリル（Ｇ）  の第２ヒータ（３ｂ）としてもよい。この場合、前記特定の第１ヒータ（３ａ）と第２ヒータ（３ｂ）とが切替スイッチ（２）  によって選択的に発熱状態となる。
【図面の簡単な説明】
【図１】従来の電気調理器の外観斜視図
【図２】本発明の実施の形態１の電気調理器の外観斜視図
【図３】本発明の実施の形態１の電気回路図
【図４】実施の形態１の制御回路（ＣＰ）のフローチャート図
【図５】実施の形態１の制御回路（ＣＰ）のステップ２０以下のフローチャート図
【図６】実施の形態２の制御回路の説明図
【符号の説明】
（１）  ：電源スイッチ、（２）  ：切替スイッチ、
（２ａ）（２ｂ）：固定接点、（２０）：検知回路、（２１）：検知手段、（Ａ）  ：非導通手段、
（Ｂ）  ：復帰導通手段、（ＣＰ）：制御回路、（Ｃ）  ：遮断手段、（Ｈ）  ：ヒータユニット
（Ｗ）  ：ワークトップ、（３０）：熱量調節器、
（５）  ：コネクター、（３１）（３２）：熱量調節器、（３３）（３４）：制御スイッチ、
（Ｒ）  ：リレー、（Ｒ１）：出力接点、（Ｔ）  ：タイマー、（Ｔ１）：出力接点
（尚、各図中同一符号は同一又は相当部分を示す。）
【図１】
0003605293.tif 000002
【図２】
0003605293.tif 000003
【図３】
0003605293.tif 000004
【図４】
0003605293.tif 000005
【図５】
0003605293.tif 000006
【図６】
0003605293.tif 000007